(57)【特許請求の範囲】
【請求項１】
スリーブを包囲する金属外套筒がなく、外部光ファイバのフェルールを着脱できる内周面を持つ円筒形のセラミック製外套兼用スリーブと、空洞を有し歯先円が外套兼用スリーブ内径より大きく歯底円が外套兼用スリーブ内径より小さく歯桁が１０μｍ〜２００μmの外歯の歯車突状を有する隆起筒部と隆起筒部に続き歯車突状のないぬすみを形成した金属円盤継ぎ手とよりなり、外套兼用スリーブ内周面に金属円盤継ぎ手の隆起筒部を挿入し外套兼用スリーブ内面で歯車突状を一部潰し一部削り削りくずをぬすみから除去する圧入によって固定したことを特徴とする光レセプタクル。 
【請求項２】
スリーブを包囲する金属外套筒がなく、外部光ファイバのフェルールを着脱できる内周面を持つ円筒形のセラミック製外套兼用スリーブと、空洞を有し歯先円が外套兼用スリーブ外径より小さく歯底円が外套兼用スリーブ外径より大きく歯桁が１０μｍ〜２００μmの内歯の歯車突状を有する隆起筒部と隆起筒部に続き歯車突状のないぬすみをを形成した金属円盤継ぎ手とよりなり、金属円盤継ぎ手の隆起筒部内周面に外套兼用スリーブを挿入し外套兼用スリーブ外面で歯車突状を一部潰し一部削り削りくずはぬすみから除去する圧入によって固定したことを特徴とする光レセプタクル。
【請求項３】
金属円盤継ぎ手がメタルインジェクションモールドによって作製されていることを特徴とする請求項１または２のいずれかに記載の光レセプタクル。 
【発明の詳細な説明】
【技術分野】
【０００１】
この発明は、単純化された構造を持ち製造容易で安価でありながらフェルールの繰り返し脱着による劣化が少ない光レセプタクルに関する。発光素子又は受光素子或いは発光素子／受光素子を収納した光モジュールは、外部光ファイバと信号光を交換するための機構の違いによって、レセプタクル型とピグテイル型に分けることができる。ピグテイル型というのは発光素子・受光素子と固定光ファイバをレンズによって結合したものである。固定光ファイバの他端は別体の光コネクタに結合しておりこの光コネクタによって外部光ファイバと連結するようになっている。レセプタクル型は、外部光ファイバに繋がるフェルールを直接に着脱し、発光素子、受光素子とレンズを介して結合する構造となっている。フェルールを着脱する部分をレセプタクルと言う。本発明はレセプタクルの改良に関する。 
【背景技術】
【０００２】
レセプタクル型の光モジュールには様々の形状のものがある。
【０００３】
特許文献１は、スリーブ外周と金属外套筒を接着剤で接着すると接着剤が剥がれることもあり長期信頼性がないということを問題にする。本願の図１７に特許文献１によって提案された光レセプタクルの断面図を示す。特許文献１はフランジの中央部を内側へ隆起させて中間突状を形成した金属外套筒を用いる。スリーブは基部に切欠きと薄肉部がある割りスリーブとしている。
【０００４】
割りスリーブは縦方向に貫通するスリットがあり、僅かに内外に撓むことができる。基部側にはスリットを中間線とする円弧状切欠きがある。円弧状切欠きの裏面は薄肉部となっている。薄肉部の内面を金属外套筒の中間突状に差し込んで割りスリーブを中間突状に固定する。接着剤を使わずスリーブを金属外套筒に固定することができる。割りスリーブの開口部から外部光ファイバのフェルールを割りスリーブ内部へ挿入するようにしている。 
【０００５】
特許文献１は接着剤を使わないから剥離の問題がなくフェルールの繰り返し着脱による経年的な劣化が起こらず、しかもスタブを省略できるという利点があると述べている。 
【０００６】
特許文献２は、スリーブ外径より狭い入口を持つ金属外套筒を用いるレセプタクルにおいては、スリーブは後端面から挿入しなければならず金属外套筒が２部材になり部品点数が多くなるということを問題にした。金属外套筒が前方部材と後方部材の２部材になり、スリーブがあって、スタブがあるので、レセプタクルが４部材から構成されるようになる。そこで特許文献２はスタブと金属外套筒の後方部材とスタブを結合して１部材として構造を単純化したレセプタクルを提案した。 
【０００７】
本願の図１８は特許文献２によって提案されたレセプタクルの縦断面図である。金属外套筒の内周面に段部があって、段部がスリーブを抜け止めしている。スリーブを金属外套筒の前端からではなく後端から挿入しなければならない。特許文献２はスタブとフランジの機能を一部結合した段付きスタブを製造する。 
【０００８】
特許文献２はスリーブが金属外套筒で抜け止めされる構造のレセプタクルにおいて、スタブと金属外套筒の一部を統合しスタブの固定手段が不要になったので、部品点数が減り組立工数が減少したとその利点を述べている。 
【０００９】
【特許文献１】特開２００６−１５４３０１号公報
【特許文献２】特開２００４−１５１１２６号公報
【発明の開示】
【発明が解決しようとする課題】
【００１０】
特許文献１（図１７）はスリーブ外壁を金属外套筒内壁に固定するのではなく、金属外套筒と一体に底面から伸びる中間突状を形成し、中間突状に割りスリーブを差し込んで固定するようにしている。これは接着剤を使わないから接着剤の熱劣化や肉厚偏心の問題はない。しかし割りスリーブとするから部品コストが上がる。金属外套筒と一体となった中間突状を高い寸法精度で形成することは難しい。スリーブが円筒対称でなく切欠きを持つ構造となるから脆弱である。繰り返しフェルール着脱によって傾斜する可能性もある。また繰り返し着脱によってスリーブが破損する恐れもある。 
【００１１】
特許文献２（図１８）のように大径部と小径部を有する段付きスタブを使って薄肉スリーブを固定するものは部品の数を１つ減らすことができる。しかし金属製段付きスタブの小径部でスリーブの下端を保持するから、小径部の製造に高い寸法精度が要求される。大径部は金属外套筒に圧入又は接着剤で固定されるから精密な加工が必要になる。何れにしても部品コストが高く安価な量産部品とはならない。
【課題を解決するための手段】
【００１２】
本発明の光レセプタクルは、スリーブを包囲する金属外套筒がなく、外部光ファイバのフェルールを着脱できる内周面を持つ円筒形のセラミック製外套兼用スリーブと、空洞を有し歯先円が外套兼用スリーブ内径より大きく歯底円が外套兼用スリーブ内径より小さい外歯の歯車突状を有する隆起筒部を形成した金属円盤継ぎ手とよりなり、外套兼用スリーブ内周面に金属円盤継ぎ手の隆起筒部を挿入し外套兼用スリーブ内面で歯車突状を一部潰し一部削る圧入によって固定したので、高精度に加工されたスリーブ内周面に金属円盤継ぎ手を圧入し高精度の加工が必要な部分を減らすことができる。歯車状の突起部を形成しこれをセラミック製のスリーブで一部潰し一部削り取るような圧入によって結合するので金属円盤継ぎ手の製造公差を緩和することができる。
【００１３】
また本発明の光レセプタクルは、スリーブを包囲する金属外套筒がなく、外部光ファイバのフェルールを着脱できる内周面を持つ円筒形のセラミック製外套兼用スリーブと、空洞を有し歯先円が外套兼用スリーブ外径より小さく歯底円が外套兼用スリーブ外径より大きい内歯の歯車突状を有する隆起筒部を形成した金属円盤継ぎ手とよりなり、金属円盤継ぎ手の隆起筒部内周面に外套兼用スリーブを挿入し外套兼用スリーブ外面で歯車突状を一部潰し一部削る圧入によって固定したので、高精度に加工されたスリーブ内周面に金属円盤継ぎ手を圧入し高精度の加工が必要な部分を減らすことができる。歯車状の突起部を形成しこれをセラミック製のスリーブで一部潰し一部削り取るような圧入によって結合するので金属円盤継ぎ手の製造公差を緩和することができる。 
【００１４】
また本発明の光レセプタクルは、金属円盤継ぎ手がメタルインジェクションモールドによって作製されているので微細な突状を多数有する金属円盤継ぎ手を容易に且つ低コストに作製することができる。  
【発明の効果】
【００１５】
本発明の光レセプタクルは外部フェルールを内周面で保持できる外套兼用スリーブと、隆起筒部を有する金属円盤継ぎ手を隆起筒部とスリーブの内周面或いは外周面を組み合わせて一体化した光レセプタクルである。従来例（図１７、図１８を参照）のように、スリーブを囲みスリーブを保護する金属外套筒が存在しない。金属外套筒はステンレス、銅、鉄などで作られ安価でない部材であるがそれが不要になる。金属外套筒がないので空間に余裕ができスリーブをより肉厚にできる。スリーブがより堅牢になるからフェルールの着脱に対する耐久性も高揚する。２つの部品で構成されるので構造は単純である。部材の点数が減るので部品コストを低減することができる。金属円盤継ぎ手と外套兼用スリーブとは接着することもできるし圧入で結合することもできる。スリーブを肉厚にできるから圧入が可能になる。組立工数が減るから組立に要するコストも減少する。
【発明を実施するための最良の形態】
【００１６】
（実施の形態１）
［Ｉ型：スリーブ内面保持型］ 
本発明の光レセプタクルは、厚肉の外套兼用スリーブと金属円盤継ぎ手とからなる。これはスリーブの内面を金属円盤継ぎ手によって把持するような構造である。外套兼用スリーブと金属円盤継ぎ手は接着剤で接着することもできる。接着する場合は後に述べる歯車突状は不要である。外套兼用スリーブ内面と金属外套筒の隆起筒部の外周面の寸法を適当に定めて接着剤と共に両者を嵌合して接着するようにする。接着剤を使わず両者を圧入で結合することもできる。ここでは圧入で結合する場合の例を示す。 
【００１７】
図３は本発明のスリーブ内面保持型（Ｉ型）のスリーブの縦断面図を示す。外套を兼ねるので外套兼用スリーブという。本発明のレセプタクルは金属外套筒のようなものはない。スリーブが外套の役割を兼ねるので、セラミック製の外套兼用スリーブ８が肉厚のものとなっている。ジルコニアやアルミナなどのセラミックである。
【００１８】
外套兼用スリーブ８の外部ファイバのフェルールが挿入される入口側には入口面取り８５がある。基部側の後端面８６は内周面８３、外周面８２に直交する面となっている。入口側の入口面取り８５の外部は平坦な前端面８７となる。 
【００１９】
金属円盤継ぎ手９は図１に縦断面図を、図２に平面図を示す。金属円盤継ぎ手９はステンレス、銅、鉄、ニッケルなどの金属製である。金属円盤継ぎ手９はメタルインジェクションモールドによって一挙に作ることができる。適当な形状の空洞を有する金型に溶媒で溶かした金属化合物或いは溶融金属を注入し冷却し固める手法である。円盤状金属塊から切削加工によって作製することもできる。金属円盤継ぎ手９は中心に隆起する隆起筒部９２とそれに続く円盤上のフランジ９５よりなる。隆起筒部９２の外側には放射状に多数の歯車突状９３が形成される。歯車突状の高さは１０μｍ〜２００μｍ程度である。歯車突状９３の上方は外面取り９８がある。隆起筒部９２とフランジ９５の継ぎ目の部分は縮径したぬすみ９１となっている。これは削れた歯車突状の屑を除去するための空間である。
【００２０】
隆起筒部９２の端部は平坦な前端面９４となっている。隆起筒部９２の中心は軸線に沿った空洞９７となっている。空洞９７は光信号が通過する空間である。歯車突状９３には外面取り９８がなされる。 
【００２１】
金属外套筒はなく、その機能を外套兼用スリーブ８が兼ねている。外套兼用スリーブ８と金属円盤継ぎ手９は接着剤で接着することもできるがここでは圧入で結合する。だから歯車突状９３がある。歯車突状９３の歯先円は外套兼用スリーブ８内周面８３の内径よりも大きい。歯車突状９３の歯底円は外套兼用スリーブ８内周面８３の内径よりも小さい。 
【００２２】
図４のように金属円盤継ぎ手９の隆起筒部９２に、外套兼用スリーブ８の内周面８３を当てがい外套兼用スリーブ８を上から圧力を掛けて押す。金属円盤継ぎ手９は柔らかい金属製であり、外套兼用スリーブ８は硬いセラミックである。硬いセラミック製外套兼用スリーブ８はそのままの形状を維持するが柔らかい金属製の金属円盤継ぎ手９の歯車突状９３は変形する。 
【００２３】
外套兼用スリーブ８の内周面８３と後端面８６の角で隆起筒部９２の歯車突状９３の先端部を潰し或いは削る。外面取り９８が外套兼用スリーブ８を案内し全周での歯車突状９３の削り厚を均等にする。歯車突状９３の外部が削られ、削り屑９９が彎曲して垂れ下がる。 
【００２４】
図５のように外套兼用スリーブ８の後端面８６が金属円盤継ぎ手９のぬすみ９１の高さまで下がると、削り屑９９は歯車突状９３から切り放される。強い風によって螺旋状の切り屑９９を吹き飛ばして除去する。 
【００２５】
図６に示すように更に外套兼用スリーブ８を押し下げる。後端面８６が金属円盤継ぎ手９のフランジ９５に接触して外套兼用スリーブ８が停止する。外套兼用スリーブ８と金属円盤継ぎ手９は一体となる。このように歯車突状９３を一部潰し削りながら外套兼用スリーブ８を金属円盤継ぎ手９へ差し込んでいく圧入である。圧入によって金属円盤継ぎ手９と外套兼用スリーブ８が結合されるので接着剤は不要である。歯車突状９３の高さ幅数は圧入が可能であってしかも結合が堅牢であるように適当に決める必要がある。こうして２部材からなる構造の単純なレセプタクルができる。 
【００２６】
この後レセプタクルの金属円盤継ぎ手９の後端面９６には光素子のハウジングが溶接される。図７は光素子とレセプタクルを調芯して最適の位置関係を決める。光素子の金属ハウジング５の上端とフランジ９５の後端面９６を溶接Ｗする。これが完成品の１つである。金属外套筒と内部のスリーブを兼ねて本発明の外套兼用スリーブ８がある。外套兼用スリーブ８の内周面８３は高精度に仕上げられている。外部光ファイバのフェルールを開口部側入口面取り８５から内周面８３へ挿入することによって、外部光ファイバとレセプタクルを結合することができる。これはダミーファイバを含むスタブがないような構造である。これでもフェルールを着脱可能に保持できるし光信号をやり取りすることができる。空洞９７は光信号が通過する経路となる。 
【００２７】
ダミーファイバ／スタブを付けたいという場合は、広い内周面８３の一部に接触するように設けることもできるし、狭い空洞９７の内部に設けることもできる。 
空洞９７の内部にダミーファイバ／スタブを設けた構造の縦断面図を図８に示す。スタブ３は円筒形金属筒であり内部にダミーファイバ３２を挿通してある。上方の面ではスタブ３とダミーファイバ３２は面一に研磨し、下方の面ではスタブ３とダミーファイバ３２は斜めに研磨した傾斜面３３としてもよい。こうすれば半導体レーザへ反射戻り光が入らないようにすることができる。 
【００２８】
この場合は外部ファイバのフェルールを外套兼用スリーブ８の内周面８３の上半部に差し込む。そうするとスタブとフェルールが接触し、外部光ファイバ端とダミーファイバ３２の端面が精度良く対向する。  
【００２９】
（実施の形態２）
［ＩＩ型：スリーブ外面保持型］ 
本発明の光レセプタクルは、厚肉の外套兼用スリーブと金属円盤継ぎ手とからなる。これはスリーブの外面を金属円盤継ぎ手によって把持するような構造である。外套兼用スリーブと金属円盤継ぎ手は接着剤で接着することもできる。接着する場合は後に述べる歯車突状は不要である。外套兼用スリーブ外面と金属外套筒の隆起筒部の内周面の寸法を適当に定めて接着剤と共に両者を嵌合して接着するようにする。接着剤を使わず両者を圧入で結合することもできる。ここでは圧入で結合する場合の例を示す。 
【００３０】
本発明のスリーブ外面保持型（ＩＩ型）のスリーブはスリーブ内面保持型（Ｉ型）と同じ形状をしている（図３を参照）。外套部を兼ねるので外套兼用スリーブ８と呼ぶ。  
【００３１】
図９は外套兼用スリーブ８の外周を抑える金属円盤継ぎ手７０の断面図、図１０は平面図である。複雑な形状をしているがこれはメタルインジェクションモールドによって一挙に作ることができる。円盤状金属塊から切削加工によって作製することもできる。低い肉厚円筒状の隆起筒部７２が円盤状のフランジ７５と一体化されている。フランジ７５の底面は平滑な後端面７６となっている。光素子のハウジングは後端面７６に溶接される。フランジ７５の中心には光を通すための空洞７７が穿孔される。 
【００３２】
隆起筒部７２の内周面には多数の内向き歯車突状７３が形成される。歯車突状７３は内歯（インターナルギヤ）である。歯先円は外套兼用スリーブ８の外径より狭く、歯底円は外套兼用スリーブ８の外径より広い。歯車突状７３の歯桁、ピッチ円、モジュール、歯数は、スリーブ、金属円盤継ぎ手の材料、寸法、必要な嵌合強度などを勘案して適当に決定する。フランジ７５に近接した隆起筒部７２内周面は歯車突状の存在しないぬすみ７１となっている。これは圧入によって削り屑が出るのでそれを排除するための空間である。 
【００３３】
金属円盤継ぎ手７０に外套兼用スリーブ８を圧入する中間の状態を図１１に示す。外套兼用スリーブ８の後端面８６を金属円盤継ぎ手７０の内面取り７８に当てて外套兼用スリーブ８を押し下げる。金属円盤継ぎ手７０より外套兼用スリーブ８の方が硬いので後端面８６の外縁が金属円盤継ぎ手７０の隆起筒部７２の歯車突状７３の歯先部分を押し潰し削っていく。歯車突状７３の一部は押し潰されて歯車の隙間を埋める。その他に薄い削り屑７９が歯車突状７３から発生する。ぬすみ７１に後端面８６が達すると削り屑７９は歯車突状から離れる。強制送風によって削り屑７９を吹き飛ばす。 
【００３４】
図１２は圧入後の金属円盤継ぎ手７０、外套兼用スリーブ８の結合を示す縦断面図である。外套兼用スリーブ８の後端面８６が金属円盤継ぎ手７０のフランジ７５の上面に接触している。円筒状の外套兼用スリーブ８の外周面８２が、円盤状の金属円盤継ぎ手７０の隆起筒部７２内面によって保持されることによって、外套兼用スリーブ８、金属円盤継ぎ手７０が一体結合される。歯車突状７３は全周面で均等に潰され削られるので金属円盤継ぎ手７０の隆起筒部７２から外套兼用スリーブ８の受ける内向き圧力は全周において一様である。外套兼用スリーブ８、金属円盤継ぎ手７０の中心線が一致する。外套兼用スリーブ８には外部光ファイバのフェルールが差し込まれる。 
【００３５】
金属円盤継ぎ手７０のフランジ７５の後端面７６には、光素子のハウジングが溶接される。ダミーファイバを有するスタブを省くこともできる。 
【００３６】
スタブを設け光素子を溶接し外部フェルールを挿入したレセプタクルの状態の断面図を図１３に示す。レセプタクルには外部光ファイバが挿入され、光素子と外部光ファイバの間で光信号を交換しながら金属円盤継ぎ手７０とハウジング５を相対移動させて最適位置を捜し、その位置関係でハウジング５と金属円盤継ぎ手を溶接する。光素子は光送受信モジュール、光受信モジュール、光送信モジュールの何れかである。レセプタクルはダミーファイバを含むスタブを有しスタブのレンズ側は傾斜面３３となっている。
【００３７】
図１５は金属円盤継ぎ手の隆起筒部に設けた歯車突状の斜視図を示す。内歯の場合も外歯の場合もあるがここでは両方を示すために展開図で示す。突起群の先端を結ぶ円が歯先円である。谷を結ぶ円が歯底円である。内歯の場合は歯底円の方が歯先円より大きい。外歯の場合は歯底円が歯先円より小さい。歯先と歯底の高さの差ｋが歯桁である。歯桁ｋは１０μｍ〜２００μｍの程度である。基部の厚みｅは隆起筒部の厚みである。ピッチｐは歯桁ｋにも歯先角Θによっても変わるがｐ＝２ｋｔａｎ（Θ／２）であるからΘ、ｋを決めるとｐも決まる。Θ＝５０゜〜１２０゜程度、ｐは１５μｍ〜３００μｍ程度である。金属円盤継ぎ手の隆起筒部を外套兼用スリーブに圧入すると硬いスリーブによって歯車突状の一部が潰れ一部が削れる。
【００３８】
図１６は歯車突状とスリーブ８の接触状態を展開図で表現したものである。圧入後のスリーブと歯車突状の接触幅をｔとする。金属の強度は一様であるから歯車突状の寸法が全て同じであり圧力が一定であれば、削り量潰れ量は一定の筈で接触幅ｔは一様になる筈である。歯先の高さ（ｅ＋ｋ）がばらついているとｔもばらつくことになるので、（ｅ＋ｋ）は全円周において一様にすべきである。 
【実施例１】
【００３９】
図１４に外面保持型（ＩＩ型）の実施例を示す。外套兼用スリーブ８の内径Ｃは１．２５２ｍｍである。これは外部フェルールの外径に対応するものである。フェルールは１．２５ｍｍタイプと２．５ｍｍタイプのものがある。これは１．２５ｍｍタイプに対応する例である。２．５ｍｍ型に適用できるものにも本発明を適用することができる。 
【００４０】
金属円盤継ぎ手７０の底部開口内径Ｄは２ｍｍ、金属円盤継ぎ手の縮頚部の外径Ｅは３．１ｍｍ、下端部外径Ｆは３．６ｍｍ、段部外径Ｇは４．１７ｍｍ、フランジ外径Ｈは５．０８ｍｍである。 
【００４１】
外套兼用スリーブ８の開口部の広がりＫは２ｍｍ直径である。広がり角Θは２０゜である。外套兼用スリーブ８の長さＪは４．３５ｍｍである。 
【００４２】
金属円盤継ぎ手の突き出しフランジ部分の高さＰは０．６５ｍｍ、それに続く段部の高さＱは０．６５ｍｍである。段部の直下の窪み部分の高さＲは０．３２ｍｍ、最端の突状の高さＳは０．３ｍｍである。 
【００４３】
外套兼用スリーブの外径Ｕは２．９２ｍｍである。外套兼用スリーブの内径Ｃが１．２５２ｍｍであるから、外套兼用スリーブの肉厚Ｔは０．８３４ｍｍである。 
【００４４】
この実施例の金属円盤継ぎ手７０は底が狭くなっているが、後端面７６に光素子のハウジング開口部を溶接することができる。
【００４５】
上記において、本発明の実施の形態および実施例について説明を行ったが、上記に開示された本発明の実施の形態および実施例は、あくまで例示であって、本発明の範囲はこれら発明の実施の形態に限定されない。本発明の範囲は、特許請求の範囲の記載によって示され、さらに特許請求の範囲の記載と均等の意味および範囲内でのすべての変更を含むものである。
【図面の簡単な説明】
【００４６】
【図１】本発明のＩ型．内面保持型レセプタクルの例に係る金属円盤継ぎ手の縦断面図。
【００４７】
【図２】本発明のＩ型．内面保持型レセプタクルの例に係る金属円盤継ぎ手の平面図。
【００４８】
【図３】本発明のＩ型．内面保持型レセプタクルの例に係る外套兼用スリーブの縦断面図。
【００４９】
【図４】本発明のＩ型．内面保持型レセプタクルの例において、金属円盤継ぎ手の中心の隆起筒部を外套兼用スリーブの内面に圧入していくと外套兼用スリーブが歯車突状を削り潰しながら進行していく過程を示す縦断面図。
【００５０】
【図５】本発明のＩ型．内面保持型レセプタクルの例において、金属円盤継ぎ手の中心の隆起筒部を外套兼用スリーブの内面に圧入していき外套兼用スリーブ端面が隆起筒部のぬすみに至ると削り屑が離れるので送風して削り屑を排除するようにする過程を示す縦断面図。
【００５１】
【図６】本発明のＩ型．内面保持型レセプタクルの例において、金属円盤継ぎ手の中心の隆起筒部を外套兼用スリーブの内面に圧入していき外套兼用スリーブ端面が金属円盤継ぎ手のフランジ面に接触し圧入が完了した状態を示すレセプタクル縦断面図。
【００５２】
【図７】本発明のＩ型．内面保持型レセプタクルの例において、金属円盤継ぎ手と外套兼用スリーブを結合したものに発光素子、受光素子、発光素子／受光素子を内蔵する光素子を調芯して溶接固定したモジュールの縦断面図。
【００５３】
【図８】本発明のＩ型．内面保持型レセプタクルの例において、中心の空洞にダミーウエハを挿通したスタブを設けた金属円盤継ぎ手と外套兼用スリーブを結合したものに発光素子、受光素子、発光素子／受光素子を内蔵する光素子を調芯して溶接固定したモジュールの縦断面図。
【００５４】
【図９】本発明のＩＩ型．外面保持型レセプタクルの例に係る金属円盤継ぎ手の縦断面図。
【００５５】
【図１０】本発明のＩＩ型．外面保持型レセプタクルの例に係る金属円盤継ぎ手の平面図。
【００５６】
【図１１】本発明のＩＩ型．外面保持型レセプタクルの例において、金属円盤継ぎ手の外周円環状の隆起筒部の歯車突状に外套兼用スリーブの外面を接触させ圧入していくと外套兼用スリーブが歯車突状を削り潰しながら進行していく過程を示す縦断面図。
【００５７】
【図１２】本発明のＩＩ型．外面保持型レセプタクルの例において、金属円盤継ぎ手の周縁部の隆起筒部に外套兼用スリーブを圧入していき外套兼用スリーブ端面が金属円盤継ぎ手のフランジ面に接触し圧入が完了した状態を示すレセプタクル縦断面図。
【００５８】
【図１３】本発明のＩＩ型．外面保持型レセプタクルの例において、金属円盤継ぎ手と外套兼用スリーブを結合し外套兼用スリーブにダミーウエハを保有するスタブを内挿したものに発光素子、受光素子、発光素子／受光素子を内蔵する光素子を調芯して溶接固定し外部光ファイバのフェルールを外套兼用スリーブに挿入した状態の光モジュールの縦断面図。
【００５９】
【図１４】本発明のＩＩ型．外面保持型レセプタクルの実施例において、金属円盤継ぎ手の各部分の縦横の寸法と外套兼用スリーブの内外径長さなどの寸法を示すための縦断面図。
【００６０】
【図１５】円周に反って形成された歯車突状の一部を平面に展開した状態の斜視図。
【００６１】
【図１６】金属円盤継ぎ手に外套兼用スリーブを圧入する時に、平面に展開して示した歯車突状を外套兼用スリーブの後端面が一部潰し一部削りながら進んでいくことを示す説明用の斜視図。
【００６２】
【図１７】特開２００６−１５４３０１号で提案された金属外套筒の後端部に形成した中間突状によってスリット入りスリーブを保持した構造のレセプタクルの縦断面図。
【００６３】
【図１８】特開２００４−１５１１２６号で提案されたスリーブを保持した段付きスタブを金属外套筒後端部によって保持する構造のレセプタクルの縦断面図。
【符号の説明】
【００６４】
３  スタブ 
４  フェルール 
５  （金属）ハウジング 
６  光素子部 
７  レンズ 
８  外套兼用スリーブ 
９  金属円盤継ぎ手 
３２  ダミーファイバ 
３３  傾斜面  
６２  光素子 
６３〜６５  リードピン 
７０  金属円盤継ぎ手 
７１  ぬすみ 
７２  隆起筒部 
７３  歯車突状 
７４  前端面 
７５  フランジ 
７６  後端面 
７７  空洞 
７８  内面取り 
７９  削り屑 
８２  外周面 
８３  内周面 
８４  内洞 
８５  入口面取り
８６  後端面 
８７  前端面 
９１  ぬすみ 
９２  隆起筒部 
９３  歯車突状 
９４  前端面 
９５  フランジ 
９６  後端面 
９７  空洞 
９８  外面取り 
９９  削り屑 
Ｗ  溶接 
【図１】
0005071673.tif 000002
【図２】
0005071673.tif 000003
【図３】
0005071673.tif 000004
【図４】
0005071673.tif 000005
【図５】
0005071673.tif 000006
【図６】
0005071673.tif 000007
【図７】
0005071673.tif 000008
【図８】
0005071673.tif 000009
【図９】
0005071673.tif 000010
【図１０】
0005071673.tif 000011
【図１１】
0005071673.tif 000012
【図１２】
0005071673.tif 000013
【図１３】
0005071673.tif 000014
【図１４】
0005071673.tif 000015
【図１５】
0005071673.tif 000016
【図１６】
0005071673.tif 000017
【図１７】
0005071673.tif 000018
【図１８】
0005071673.tif 000019